【手続補正書】
【提出日】平成25年7月12日(2013.7.12)
【手続補正１】
【補正対象書類名】明細書
【補正対象項目名】発明の名称
【補正方法】変更
【補正の内容】
【発明の名称】記録装置および記録方法
【手続補正２】
【補正対象書類名】明細書
【補正対象項目名】０００７
【補正方法】変更
【補正の内容】
【０００７】
本発明は、上記従来の問題に鑑みてなされたものであって、処理液の消費量を増やすことなく、処理液により形成される被覆層の特性を最適化して画像品質を向上させることが可能な記録装置および記録方法を提供することを目的とする。
【手続補正３】
【補正対象書類名】明細書
【補正対象項目名】０００８
【補正方法】変更
【補正の内容】
【０００８】
本発明に係る記録装置は、少なくとも第１、第２のインクと、記録媒体上に形成された前記第１、第２のインクの層の表面を被覆するための処理液と、を吐出可能な記録ヘッドと、前記記録ヘッドと前記記録媒体とを相対的に走査させる走査手段と、前記記録媒体上の単位領域に対して前記走査手段による複数回の前記走査のそれぞれが行われている際に、前記単位領域に対して前記記録ヘッドから前記第１、第２のインクと前記処理液を吐出させる吐出制御手段と、を有する記録装置であって、前記記録媒体上に形成された前記第１のインクの層の表面上での前記処理液の接触角は前記記録媒体上に形成された前記第２のインクの層の表面上での前記処理液の接触角よりも大きく、前記吐出制御手段は、前記第１のインクの層の表面に前記処理液を吐出する場合に、同一の前記走査で前記第１のインクの層の表面に吐出される他の前記処理液の液滴と前記記録媒体上で接する前記処理液の液滴の量が、前記第２のインクの層の表面に前記処理液を吐出する場合に、同一の前記走査で前記第２のインクの層の表面に吐出される他の前記処理液の液滴と前記記録媒体上で接する前記処理液の液滴の量よりも多くなるように、前記処理液の吐出を制御することを特徴とする。
【手続補正４】
【補正対象書類名】明細書
【補正対象項目名】０００９
【補正方法】変更
【補正の内容】
【０００９】
本発明に係る記録装置は、少なくとも第１、第２のインクと、記録媒体上に形成された前記第１、第２のインクの層の表面を被覆するための処理液と、を吐出可能な記録ヘッドと、前記記録ヘッドと前記記録媒体とを相対的に走査させる走査手段と、前記記録媒体上の単位領域に対して前記走査手段による複数回の前記走査のそれぞれが行われている際に、前記単位領域に対して前記記録ヘッドから前記第１、第２のインクと前記処理液を吐出させる吐出制御手段と、を有する記録装置であって、前記記録媒体上に形成された前記第１のインクの層の表面上での前記処理液の接触角は前記記録媒体上に形成された前記第２のインクの層の表面上での前記処理液の接触角よりも大きく、前記吐出制御手段は、前記第１のインクの層の表面に前記処理液を吐出する場合の複数回の前記走査それぞれで吐出される前記処理液の吐出量のうちの最大量が、前記第２のインクの層の表面に前記処理液を吐出する場合の前記複数回の走査それぞれで吐出される前記処理液の吐出量のうちの最大量よりも多くなるように、前記処理液の吐出を制御することを特徴とする。
【手続補正５】
【補正対象書類名】明細書
【補正対象項目名】００１０
【補正方法】変更
【補正の内容】
【００１０】
本発明に係る記録方法は、少なくとも第１、第２のインクと、記録媒体上に形成された前記第１、第２のインクの層の表面を被覆するための処理液と、を吐出可能な記録ヘッドと前記記録媒体とを相対的に走査させる走査工程と、前記記録媒体上の単位領域に対して前記走査工程による複数回の前記走査のそれぞれが行われている際に、前記単位領域に対して前記記録ヘッドから前記第１、第２のインクと前記処理液を吐出させる吐出制御工程と、を有する記録方法であって、前記記録媒体上に形成された前記第１のインクの層の表面上での前記処理液の接触角は前記記録媒体上に形成された前記第２のインクの層の表面上での前記処理液の接触角よりも大きく、前記吐出制御工程は、前記第１のインクの層の表面に前記処理液を吐出する場合に、同一の前記走査で前記第１のインクの層の表面に吐出される他の前記処理液の液滴と前記記録媒体上で接する前記処理液の液滴の量が、前記第２のインクの層の表面に前記処理液を吐出する場合に、同一の前記走査で前記第２のインクの層の表面に吐出される他の前記処理液の液滴と前記記録媒体上で接する前記処理液の液滴の量よりも多くなるように、前記処理液の吐出を制御することを特徴とする。
【手続補正６】
【補正対象書類名】特許請求の範囲
【補正対象項目名】全文
【補正方法】変更
【補正の内容】
【特許請求の範囲】
【請求項１】
少なくとも第１、第２のインクと、記録媒体上に形成された前記第１、第２のインクの層の表面を被覆するための処理液と、を吐出可能な記録ヘッドと、
前記記録ヘッドと前記記録媒体とを相対的に走査させる走査手段と、
前記記録媒体上の単位領域に対して前記走査手段による複数回の前記走査のそれぞれが行われている際に、前記単位領域に対して前記記録ヘッドから前記第１、第２のインクと前記処理液を吐出させる吐出制御手段と、を有する記録装置であって、
前記記録媒体上に形成された前記第１のインクの層の表面上での前記処理液の接触角は前記記録媒体上に形成された前記第２のインクの層の表面上での前記処理液の接触角よりも大きく、
前記吐出制御手段は、前記第１のインクの層の表面に前記処理液を吐出する場合に、同一の前記走査で前記第１のインクの層の表面に吐出される他の前記処理液の液滴と前記記録媒体上で接する前記処理液の液滴の量が、前記第２のインクの層の表面に前記処理液を吐出する場合に、同一の前記走査で前記第２のインクの層の表面に吐出される他の前記処理液の液滴と前記記録媒体上で接する前記処理液の液滴の量よりも多くなるように、前記処理液の吐出を制御することを特徴とする記録装置。
【請求項２】
前記吐出制御手段は、前記第１のインクの層の表面に前記処理液を吐出する場合に、同一の前記走査で前記第１のインクの層の表面に吐出される他の前記処理液の液滴と前記記録媒体上で接する前記処理液の液滴の数が、前記第２のインクの層の表面に前記処理液を吐出する場合に、同一の前記走査で前記第２のインクの層の表面に吐出される他の前記処理液の液滴と前記記録媒体上で接する前記処理液の液滴の数よりも多くなるように、前記処理液の吐出を制御することを特徴とする請求項１に記載の記録装置。
【請求項３】
前記吐出制御手段は、前記第１のインクの層の表面に前記処理液を吐出する場合の複数回の前記走査それぞれで吐出される前記処理液の吐出量のうちの最大量が、前記第２のインクの層の表面に前記処理液を吐出する場合の前記複数回の走査それぞれで吐出される前記処理液の吐出量のうちの最大量よりも多くなるように、前記処理液の吐出を制御することを特徴とする請求項１または２に記載の記録装置。
【請求項４】
少なくとも第１、第２のインクと、記録媒体上に形成された前記第１、第２のインクの層の表面を被覆するための処理液と、を吐出可能な記録ヘッドと、
前記記録ヘッドと前記記録媒体とを相対的に走査させる走査手段と、
前記記録媒体上の単位領域に対して前記走査手段による複数回の前記走査のそれぞれが行われている際に、前記単位領域に対して前記記録ヘッドから前記第１、第２のインクと前記処理液を吐出させる吐出制御手段と、を有する記録装置であって、
前記記録媒体上に形成された前記第１のインクの層の表面上での前記処理液の接触角は前記記録媒体上に形成された前記第２のインクの層の表面上での前記処理液の接触角よりも大きく、
前記吐出制御手段は、前記第１のインクの層の表面に前記処理液を吐出する場合の複数回の前記走査それぞれで吐出される前記処理液の吐出量のうちの最大量が、前記第２のインクの層の表面に前記処理液を吐出する場合の前記複数回の走査それぞれで吐出される前記処理液の吐出量のうちの最大量よりも多くなるように、前記処理液の吐出を制御することを特徴とする記録装置。
【請求項５】
前記第１のインクの層の表面に前記処理液を吐出する場合の前記処理液の吐出量が最大となる前記走査は、前記複数回の走査のうちの最後の走査であることを特徴とする請求項３または４に記載の記録装置。
【請求項６】
前記吐出制御手段は、前記第１のインクの層の表面に前記処理液を吐出する場合の前記複数回の走査のそれぞれで吐出される前記吐出量の合計が前記第２のインクの層の表面に前記処理液を吐出する場合の前記複数回の走査のそれぞれで吐出される前記吐出量の合計とほぼ等しくなるように、前記処理液の吐出を制御することを特徴とする請求項１から５のいずれか１項に記載の記録装置。
【請求項７】
前記吐出制御手段は、前記第２のインクの層の表面に前記処理液を吐出する場合、前記複数回の走査のそれぞれで吐出される前記処理液の吐出量が互いにほぼ等しくなるように、前記処理液の吐出を制御することを特徴とする請求項１から６のいずれか１項に記載の記録装置。
【請求項８】
前記吐出制御手段は、前記第１のインクの層の表面に前記処理液を吐出する場合の前記複数回の走査のうちの前記処理液を吐出する走査の数が前記第２のインクの層の表面に前記処理液を吐出する場合の前記複数回の走査のうちの前記処理液を吐出する走査の数よりも少なくなるように、前記処理液の吐出を制御することを特徴とする請求項１から７のいずれか１項に記載の記録装置。
【請求項９】
前記吐出制御手段は、前記単位領域を複数に分割してなる複数の所定領域のそれぞれにおける画像データに応じて前記処理液の吐出量を決定することを特徴とする請求項３から８のいずれか１項に記載の記録装置。
【請求項１０】
前記吐出制御手段は、前記単位領域を構成する複数の画素のそれぞれに対し吐出の許可または非許可を定め、それぞれ前記複数回の走査に対応する複数のマスクパターンによって前記第１、第２のインクと前記処理液の吐出を制御することを特徴とする請求項１から９のいずれか１項に記載の記録装置。
【請求項１１】
前記第１、第２のインクに対応するそれぞれ複数のマスクパターンは、前記複数回の走査のうちの所定の前記走査以前の走査に対応するマスクパターンが前記単位領域への吐出の許可を定め、
前記処理液に対応する複数のマスクパターンは、前記複数回の走査のうちの前記所定の走査よりも後の走査に対応するマスクパターンが前記単位領域への吐出の許可を定めることを特徴とする請求項１０に記載の記録装置。
【請求項１２】
前記第２のインクの層の表面に前記処理液を吐出する場合の前記処理液に対応する複数のマスクパターンのそれぞれは、吐出の許可が定められた複数の画素が互いに隣接しないことを特徴とする請求項１０または１１に記載の記録装置。
【請求項１３】
少なくとも第１、第２のインクと、記録媒体上に形成された前記第１、第２のインクの層の表面を被覆するための処理液と、を吐出可能な記録ヘッドと前記記録媒体とを相対的に走査させる走査工程と、
前記記録媒体上の単位領域に対して前記走査工程による複数回の前記走査のそれぞれが行われている際に、前記単位領域に対して前記記録ヘッドから前記第１、第２のインクと前記処理液を吐出させる吐出制御工程と、を有する記録方法であって、
前記記録媒体上に形成された前記第１のインクの層の表面上での前記処理液の接触角は前記記録媒体上に形成された前記第２のインクの層の表面上での前記処理液の接触角よりも大きく、
前記吐出制御工程は、前記第１のインクの層の表面に前記処理液を吐出する場合に、同一の前記走査で前記第１のインクの層の表面に吐出される他の前記処理液の液滴と前記記録媒体上で接する前記処理液の液滴の量が、前記第２のインクの層の表面に前記処理液を吐出する場合に、同一の前記走査で前記第２のインクの層の表面に吐出される他の前記処理液の液滴と前記記録媒体上で接する前記処理液の液滴の量よりも多くなるように、前記処理液の吐出を制御することを特徴とする記録方法。